(57)【要約】【課題】遊技機の上部の形状に影響されることなく遊技機を支持できる遊技機用搬送台を提供すること。【解決手段】搬送台３１は、台本体３２、底部４３、上側支持部５１及び下側支持部４１を備える。底部４３は、台本体３２の下端に設けられ、ライン本体の台支持部上に載置可能である。上側支持部５１は、台本体３２の前面３２ｄに突設され、その先端部にて遊技機の上部を支持可能である。下側支持部４１は、台本体３２の前面３２ｄに突設され、その先端部にて遊技機の下部を支持可能である。上側支持部５１は、遊技機の上部が接触しうる遊技機接触部５２を備える。遊技機接触部５２は、遊技機の上部が接触した際に遊技機の上部の外形に沿って変形する低反発材によって形成される。【選択図】図５
2008043477.tif 000002
【特許請求の範囲】
【請求項１】
遊技機を支持可能であり、遊技機の組立ライン装置のライン本体によって後側に傾斜された状態で支持されつつ左右方向に搬送される遊技機用搬送台であって、
板状の台本体と、
前記台本体の下端に設けられ、前記ライン本体の台支持部上に載置可能な底部と、
前記台本体の前面に突設され、その先端部にて前記遊技機の上部を支持可能な上側支持部と、
前記台本体の前面に突設され、その先端部にて前記遊技機の下部を支持可能な下側支持部と
を備え、
前記上側支持部は、前記遊技機の上部が接触しうる遊技機接触部を備え、前記遊技機接触部は、前記遊技機の上部が接触した際に前記遊技機の上部の外形に沿って変形する低反発材によって形成される
ことを特徴とする遊技機用搬送台。
【請求項２】
前記遊技機接触部の横幅は、前記遊技機の横幅以上の大きさに設定されていることを特徴とする請求項１に記載の遊技機用搬送台。
【請求項３】
前記遊技機は、機体の外郭をなす外枠と、前記外枠に開閉可能に取り付けられた中枠と、前記中枠に開閉可能に取り付けられた前枠とを備え、
前記遊技機接触部の厚さは、前記外枠の前面からの突出量よりも大きくなるように設定されている
ことを特徴とする請求項１または２に記載の遊技機用搬送台。
【請求項４】
前記遊技機接触部の背面には、同遊技機接触部よりも硬い材料からなる接触部支持板が設けられ、前記遊技機接触部は、前記接触部支持板を介して前記台本体に取り付けられていることを特徴とする請求項１乃至３のいずれか１項に記載の遊技機用搬送台。
【請求項５】
前記台本体の前面に、前記遊技機を前記遊技機接触部側に案内する一対のガイド部が突設され、前記一対のガイド部の間隔が、前記遊技機の幅よりも大きくなっていることを特徴とする請求項１乃至４のいずれか１項に記載の遊技機用搬送台。
【請求項６】
遊技機を支持する遊技機用搬送台と、前記遊技機用搬送台を後側に傾斜した後傾状態に支持しつつ搬送するライン本体とを備えた遊技機の組立ライン装置であって、
前記遊技機用搬送台は、板状の台本体と、前記台本体の下端に設けられ、前記ライン本体の台支持部上に載置可能な底部と、前記台本体の前面に突設され、その先端部にて前記遊技機の上部を支持可能な上側支持部と、前記台本体の前面に突設され、その先端部にて前記遊技機の下部を支持可能な下側支持部とを備え、
前記上側支持部は、前記遊技機の上部が接触しうる遊技機接触部を備え、前記遊技機接触部が、前記遊技機の上部が接触した際に前記遊技機の上部の外形に沿って変形する低反発材によって形成されており、
前記組立ライン装置の設置面に対する前記遊技機用搬送台の傾斜角度は、５０°以上７０°以下であることを特徴とする遊技機の組立ライン装置。
【発明の詳細な説明】
【技術分野】
【０００１】
本発明は、パチンコ機などに代表される遊技機を組み立てる際に用いる遊技機用搬送台、及び、遊技機用搬送台を搬送するための組立ライン装置に関するものである。
【背景技術】
【０００２】
従来、遊技盤、枠などを備えたパチンコ機などの遊技機がよく知られている。かかる遊技盤、枠は、それぞれ遊技盤用の組立ライン装置、枠用の組立ライン装置にて個々に製造され、これらを有機的かつ一体的に組み立てることでパチンコ機が完成するようになっている。
【０００３】
ところで、パチンコ機に各種部品を取り付ける組立ライン装置にあっては、床面に固定されたライン本体上に搬送台を移動可能に設け、その搬送台上にパチンコ機を載置した状態で各種部品の取付作業が行われる。前記搬送台は、床面に対して水平または略水平な状態（即ち寝かせた状態）でパチンコ機を支持するように構成されている。よって、パチンコ機は、その前側面を例えば真下に向けた状態で搬送台上に載置される。これは、各種部品をパチンコ機の裏側に取り付ける作業を容易にかつ確実に行うためである。
【０００４】
しかしながら、寝かせた状態のパチンコ機に対して作業を行う場合、作業者は腰を曲げる必要があることから、無理な作業姿勢を強いられる。従って、作業者の身体への負担が大きく、作業効率も良好であるとは言い難かった。そこで、搬送台を、後側に傾斜させた状態でライン本体の台支持部上に移動可能に設けることにより、作業者の身体への負担を軽減させる配慮を施した技術が提案されている（例えば、特許文献１参照）。そして、この技術によれば、パチンコ機が後傾状態で搬送台に支持されるため、作業者は効率良く各種部品をパチンコ機に取り付けることができる。その結果、作業者への負担を最小限に抑えることができ、かつ作業効率の向上を図ることができると予想される。
【特許文献１】特開２００５−４５７号公報（図１０など）
【発明の開示】
【発明が解決しようとする課題】
【０００５】
ところで、モデルチェンジなどに伴い、パチンコ機の前側上部の形状（デザイン）が大きく異なるパチンコ機が種々提案されるようになっている。このため、上記の組立ライン装置で複数種類のパチンコ機を製造する必要が生じつつある。ところが、複数種類のパチンコ機を同じ組立ライン装置で製造するためには、パチンコ機の上部の形状に左右されることなくパチンコ機を支持できる搬送台が必要となる。その具体例としては、機種ごとに異なる専用の受け治具を、１つの搬送台上に複数種類取り付けることなどが考えられる。しかし、上記のような搬送台を構成すると、パチンコ機を搬送台に支持させる際に、そのとき使用していない受け治具が前枠などに干渉してしまう可能性が高い。ゆえに、１つの搬送台上に複数種類の受け治具を取り付けることは困難である。
【０００６】
そこで本願発明者は、上記の受け治具を機種に応じて自動的に移動させる自動切換装置を製作することを考えている。しかし、自動切換装置を製作すると、組立ライン装置の変更が大掛かりになってしまう。即ち、現在使用されている搬送台の大幅な改造が必要となるだけでなく、ライン本体自体も大幅な改造または新規製作が必要となる。特に、搬送台の数は非常に多いため、それぞれに改造を施すことは大変である。また今後も、パチンコ機のモデルチェンジの度に改造等が必要となる。
【０００７】
本発明は上記の課題に鑑みてなされたものであり、その目的は、遊技機の上部の形状に影響されることなく遊技機を支持できる遊技機用搬送台を提供することにある。また、上記の好適な遊技機用搬送台を搬送できる遊技機の組立ライン装置を提供することにある。
【課題を解決するための手段】
【０００８】
上記の課題を解決するために、請求項１に記載の発明は、遊技機を支持可能であり、遊技機の組立ライン装置のライン本体によって後側に傾斜された状態で支持されつつ左右方向に搬送される遊技機用搬送台であって、板状の台本体と、前記台本体の下端に設けられ、前記ライン本体の台支持部上に載置可能な底部と、前記台本体の前面に突設され、その先端部にて前記遊技機の上部を支持可能な上側支持部と、前記台本体の前面に突設され、その先端部にて前記遊技機の下部を支持可能な下側支持部とを備え、前記上側支持部は、前記遊技機の上部が接触しうる遊技機接触部を備え、前記遊技機接触部は、前記遊技機の上部が接触した際に前記遊技機の上部の外形に沿って変形する低反発材によって形成されることを特徴とする遊技機用搬送台をその要旨とする。
【０００９】
従って、請求項１に記載の発明によると、遊技機の上部の外形に沿って変形する低反発材によって遊技機接触部が形成されているため、遊技機用搬送台は、遊技機の上部の形状に影響されることなく遊技機を支持できる。また、遊技機接触部が低反発材といった柔らかい材料によって形成されている。よって、遊技機の上部が遊技機接触部に接触した際に傷付きにくくなるため、遊技機の品質が向上する。さらに、遊技機接触部が低反発材によって形成されるため、遊技機を遊技機用搬送台から取り外した後で、遊技機接触部は確実に元の形状に戻る。また、遊技機接触部を発泡材料によって形成すれば、大型の遊技機接触部であったとしても遊技機接触部が比較的軽量となる。この場合、遊技機用搬送台が重くなりにくいため、遊技機用搬送台を搬送させる力が少なくて済む。
【００１０】
ここで、前記遊技機接触部を形成する低反発材としては、反発弾性率が２０％以下、特には、反発弾性率が１０％以上１５％以下となる材料によって形成されることが好ましい。仮に、反発弾性率が大きすぎる（１５％または２０％よりも大きい）と、遊技機の上部が遊技機接触部に接触した際に、遊技機が跳ね返ってしまう。従って、本発明の低反発材は、反発弾性率が極めて高い材料（ゴムなど）を含まない。一方、反発弾性率が小さすぎる（１０％未満である）と、遊技機の上部が遊技機接触部内に沈み込みすぎるため、遊技機に対する各種部品の組付作業などを行いにくくなる。また、遊技機用搬送台から遊技機を外したときに、遊技機接触部に跡が残ってしまう。なお、ここで述べられている「反発弾性率」とは、ＪＩＳ  Ｋ６４００−３で定義されている求め方に準じるものとする。
【００１１】
また、低反発材としては、硬度が３０以上５０以下、特には４０程度となる材料によって形成されることが好ましい。仮に、硬度が５０よりも大きいと、遊技機の上部が遊技機接触部内に沈み込まなくなってしまう。一方、硬度が３０未満であると、遊技機の上部が遊技機接触部内に沈み込みすぎるため、遊技機に対する各種部品の組付作業などを行いにくくなる。また、遊技機用搬送台から遊技機を外したときに、遊技機接触部に跡が残ってしまう。なお、ここで述べられている「硬度」とは、ＪＩＳ  Ｋ６２５３で定義されている求め方に準じるものとする。
【００１２】
従って、上記の条件（反発弾性率、硬度）を満たす低反発材としては、ウレタン、メラミン、ポリテトラフルオロエチレン、シリコーン、スチレンなどからなる樹脂製の発泡材料を挙げることができる。なお、上記の低反発材の中でも、比較的安価なウレタンやスチレンからなる発泡材料を選択することが特に好ましい。
【００１３】
請求項２に記載の発明は、請求項１において、前記遊技機接触部の横幅は、前記遊技機の横幅以上の大きさに設定されていることをその要旨とする。
【００１４】
従って、請求項２に記載の発明によると、遊技機接触部と遊技機の上部との接触面積が大きくなるため、遊技機接触部によって遊技機の上部を確実に支持できる。また、遊技機接触部の横幅を遊技機の横幅以上の大きさに設定することで遊技機接触部が大型化されたとしても、遊技機接触部が発泡材料によって形成されていれば、比較的軽量となる。この場合、遊技機用搬送台が重くなりにくいため、遊技機用搬送台を搬送させる力が少なくて済む。
【００１５】
請求項３に記載の発明は、請求項１または２において、前記遊技機は、機体の外郭をなす外枠と、前記外枠に開閉可能に取り付けられた中枠と、前記中枠に開閉可能に取り付けられた前枠とを備え、前記遊技機接触部の厚さは、前記外枠の前面からの突出量よりも大きくなるように設定されていることをその要旨とする。
【００１６】
従って、請求項３に記載の発明によると、遊技機を遊技機用搬送台に載置した際に、前枠の突出部分の全てが遊技機接触部内に沈み込んだとしても、突出部分は、遊技機接触部の背面にある硬い部分に接触しないため、傷付きにくくなる。
【００１７】
請求項４に記載の発明は、請求項１乃至３のいずれか１項において、前記遊技機接触部の背面には、同遊技機接触部よりも硬い材料からなる接触部支持板が設けられ、前記遊技機接触部は、前記接触部支持板を介して前記台本体に取り付けられていることをその要旨とする。
【００１８】
従って、請求項４に記載の発明によると、遊技機の上部が、相対的に柔らかい遊技機接触部によって直接支持されるだけでなく、相対的に硬い接触部支持板によっても間接的に支持される。これにより、遊技機の上部を支持する際に遊技機接触部が変形することで生じる厚さ方向への撓みを防止できるため、遊技機の上部を安定的に支持できる。
【００１９】
なお、接触部支持板の面積は、遊技機接触部の全体を支持できる程度の大きさに設定されることが好ましい。具体的に言うと、接触部支持板の面積は、接触部支持板と遊技機接触部との接触面積と等しく設定されていてもよいし、上記の接触面積よりも大きく設定されていてもよいが、特には上記の接触面積よりも大きく設定されることが好ましい。換言すると、遊技機接触部及び接触部支持板を厚さ方向（遊技機接触部側）から見た際に、接触部支持板の外周部の少なくとも一部が露出していることが好ましい。このようにすれば、遊技機接触部が多少位置ずれしたとしても、遊技機接触部を接触部支持板によって確実に支持できる。
【００２０】
また、接触部支持板を形成する材料は、遊技機接触部を形成する前記低反発材よりも硬い材料であれば特に限定されないが、例えば鉄、アルミニウム、銅、木材、耐磨耗性に優れた樹脂（例えば、ポリテトラフルオロエチレン（ＰＴＦＥ）のようなフッ素系樹脂材料）などであることが好ましい。なお、接触部支持板を低反発材よりも硬い材料とするためには、接触部支持板を発泡材料ではない材料で形成することがよい。
【００２１】
請求項５に記載の発明は、請求項１乃至４のいずれか１項において、前記台本体の前面に、前記遊技機を前記遊技機接触部側に案内する一対のガイド部が突設され、前記一対のガイド部の間隔が、前記遊技機の幅よりも大きくなっていることをその要旨とする。
【００２２】
従って、請求項５に記載の発明によると、遊技機用搬送台の搬送時に、遊技機用搬送台の搬送方向に沿って遊技機が位置ずれしたとしても、遊技機の位置ずれは、遊技機がガイド部に接触することによって抑えられる。従って、遊技機の位置ずれに起因する遊技機の脱落を防止できる。また、遊技機を遊技機用搬送台に載置する際に一対のガイド部間に遊技機を移動させる必要があるが、一対のガイド部の間隔が遊技機の幅よりも大きくなっているため、ガイド部の存在をあまり意識しなくても済む。換言すると、遊技機を載置する際に遊技機が一対のガイド部間に案内されるため、遊技機が大きく位置ずれした状態で遊技機用搬送台に載置されることを防止できる。
【００２３】
なお、前記一対のガイド部を形成する材料は特に限定されないが、例えば、樹脂製（例えば、ポリテトラフルオロエチレン（ＰＴＦＥ）のようなフッ素系樹脂材料製）であることが好ましい。このようにすれば、遊技機がガイド部に接触した際に傷付きにくくなる。また、ガイド部が比較的硬い樹脂によって形成されていれば、遊技機がガイド部に接触した際にガイド部が破損しにくくなる。なお、ガイド部を比較的硬い樹脂とするためには、ガイド部を発泡材料ではない材料で形成することがよい。
【００２４】
また、ガイド部の突出量は、遊技機の上部が遊技機接触部に接触した状態で、遊技機接触部側の突出部分の先端から遊技機全体の厚さの１／３以上２／３以下となる箇所に、ガイド部の先端が位置する程度に設定されることが好ましい。好ましくは、遊技機全体の厚さの１／２となる箇所にガイド部の先端が位置する程度に設定されることがよい。仮に、遊技機全体の厚さの１／３未満となる箇所にガイド部の先端が位置していると、ガイド部によって遊技機の位置ずれを抑えにくくなるとともに、遊技機を載置する際に遊技機を上手く案内できなくなる。一方、遊技機全体の厚さの２／３よりも大きくなる箇所にガイド部の先端が位置していると、遊技機を載置する際にガイド部が邪魔になってしまう。なお、「遊技機全体の厚さ」とは、遊技機接触部側の突出部分の先端からそれとは反対側の突出部分の先端までの長さをいう。
【００２５】
請求項６に記載の発明は、遊技機を支持する遊技機用搬送台と、前記遊技機用搬送台を後側に傾斜した後傾状態に支持しつつ搬送するライン本体とを備えた遊技機の組立ライン装置であって、前記遊技機用搬送台は、板状の台本体と、前記台本体の下端に設けられ、前記ライン本体の台支持部上に載置可能な底部と、前記台本体の前面に突設され、その先端部にて前記遊技機の上部を支持可能な上側支持部と、前記台本体の前面に突設され、その先端部にて前記遊技機の下部を支持可能な下側支持部とを備え、前記上側支持部は、前記遊技機の上部が接触しうる遊技機接触部を備え、前記遊技機接触部が、前記遊技機の上部が接触した際に前記遊技機の上部の外形に沿って変形する低反発材によって形成されており、前記組立ライン装置の設置面に対する前記遊技機用搬送台の傾斜角度は、５０°以上７０°以下であることを特徴とする遊技機の組立ライン装置をその要旨とする。
【００２６】
従って、請求項６に記載の発明によると、遊技機の上部の外形に沿って変形する低反発材によって遊技機接触部が形成されているため、遊技機用搬送台は、遊技機の上部の形状に影響されることなく遊技機を支持できる。また、遊技機接触部が低反発材といった柔らかい材料によって形成されている。よって、遊技機の上部が遊技機接触部に接触した際に傷付きにくくなるため、遊技機の品質が向上する。
【００２７】
ところで、組立ライン装置の設置面に対する傾斜角度が小さすぎて遊技機用搬送台が水平に近い状態（例えば、傾斜角度が５０°未満である状態）であると、遊技機の上部の遊技機接触部内への過度の沈み込みを防止するために、遊技機接触部の前記反発弾性率及び前記硬度を大きくしなければならない。また、ほぼ寝かされた状態にある遊技機に合わせて作業者が腰を曲げて作業しなければならず、無理な作業姿勢を強いられる。一方、傾斜角度が大きすぎて遊技機用搬送台が垂直に近い状態（例えば、傾斜角度が７０°よりも大きい状態）であると、遊技機の上部を遊技機接触部内に確実に沈み込ませるために、遊技機接触部の反発弾性率及び硬度を小さくしなければならない。また、遊技機が遊技機用搬送台側に十分寄りかからなくなるため、遊技機を安定的に支持することができず、搬送時の振動などによって一時的に遊技機が前面側に傾いたり、遊技機が位置ズレしたりするおそれがある。
【００２８】
これに対して、請求項６に記載の発明のように前記遊技機用搬送台の傾斜角度を５０°以上７０°未満とすれば、反発弾性率及び硬度が過度に大きい材料や過度に小さい材料を用いて遊技機接触部を形成しなくても済むため、遊技機接触部を低コストで形成できる。また、作業時における遊技機の安定的な支持を図りつつ、作業者の身体的負担を確実に低減することができる。
【発明の効果】
【００２９】
以上詳述したように、請求項１〜５に記載の発明によれば、遊技機の上部の形状に影響されることなく遊技機を支持できる遊技機用搬送台を提供することができる。特に、請求項６に記載の発明によれば、反発弾性率及び硬度が過度に大きい材料や過度に小さい材料を用いて遊技機接触部を形成しなくても済むため、遊技機接触部を低コストで形成できる。
【発明を実施するための最良の形態】
【００３０】
以下、本発明をパチンコ遊技機（以下、「パチンコ機」という）の組立ライン装置として具体化した一実施形態を図１〜図１０に基づき説明する。
（１）パチンコ機１０の構成
【００３１】
図１には、パチンコ機１０の機表側が示されている。このパチンコ機１０は機体の外郭をなす縦長方形状の外枠１１を備えている。外枠１１の開口前面側には、各種の遊技用構成部材をセットするための縦長方形状の中枠１２が、開閉及び着脱自在に組み付けられている。また、中枠１２の前面側には、機内部に配置された遊技盤を透視保護するためのガラス枠を備えた前枠１３が、横開き状態で開閉可能に組み付けられている。なお、パチンコ機１０は、正面視で互いに平行な辺を２対有しており、左側面及び右側面が互いに平行な辺の一方を構成するとともに、底面１０ａ及び上面１０ｂが互いに平行な辺の他方を構成している。このため、左側面から右側面までの距離や、底面１０ａから上面１０ｂまでの距離は、一定となっている。
【００３２】
図１に示されるように、中枠１２の前面側には、上球皿１５ａを有する上皿ユニット１５が横開き状態で開閉可能に組み付けられている。さらに、中枠１２の下部には、下球皿１８及び操作手段１９などを有する下皿ユニット２０が装着されている。また、外枠１１下部の両側部には、遊技の状態に応じて各種音声（効果音など）を出力するスピーカ１７が設けられている。
【００３３】
また、前枠１３の上部正面には、パチンコ機１０の各種遊技の演出態様（大当り、リーチなど）に応じて点灯（点滅）・消灯などの発光装飾を行うトップランプ１６が前面側に向けて突出している。このトップランプ１６は、図示しない発光体（ＬＥＤなど）を備え、該発光体にレンズ部材を覆い被せて構成されている。一方、パチンコ機１０の背面には、機外の球補給設備から補給される遊技球を受け入れる球タンク２３（図７参照）が後方に向けて突出している。
（２）組立ライン装置６１の構成
【００３４】
ところで、パチンコ機１０は、図５〜図８等に示す遊技機用搬送台３１（以下「搬送台３１」という）に支持される。そして、搬送台３１は、図２〜図４に示す組立ライン装置６１に支持された状態で左右方向に搬送され、同組立ライン装置６１により各種部品の取付作業が行われる。そこで、以下、組立ライン装置６１について説明する。
【００３５】
図２，図３に示されるように、組立ライン装置６１は、全長が数ｍ〜十数ｍに設定され、ライン本体６２、搬出シャトル６３、送り戻し機構６４及び搬入シャトル６５を備えている。図４に示されるように、ライン本体６２は組立ライン装置６１の前位置（図３では下方）に設けられ、送り戻し機構６４はライン本体６２の後位置（図３では上方）に設けられている。搬出シャトル６３は、ライン本体６２上の搬送台３１を送り戻し機構６４上に移送する装置であって、ライン本体６２の左位置（図３では左方）に設けられている。一方、搬入シャトル６５は、送り戻し機構６４上の搬送台３１をライン本体６２上に移送する装置であって、ライン本体６２の右位置（図３では右方）に設けられている。図２，図４に示されるように、ライン本体６２、搬出シャトル６３、送り戻し機構６４及び搬入シャトル６５は、ベースフレーム６６上に設けられている。なお、ライン本体６２に搬送台３１を搭載した場合、ちょうど搬送台３１が作業者の腰から胸の間に位置するようになっている。
【００３６】
図２〜図４に示されるように、ライン本体６２は、複数の搬送台３１をそれぞれ支持しながら、水平方向（図２，図３では左右方向）に搬送するようになっている。ライン本体６２の右端部には搬入ローラ７１が設けられ、左端部には搬出ローラ７２が設けられている。両ローラ７１，７２は、図示しない駆動機構によって駆動し、搬送台３１のライン本体６２への搬入またはライン本体６２からの搬出を行うようになっている。
【００３７】
また、ライン本体６２は板状の支持台７３を備えている。図４に示されるように、この支持台７３は、組立ライン装置６１の設置面に対して所定角度θ１（傾斜角度）だけ傾斜している。詳述すると、支持台７３は、上端が奥方向（図４に示す右方向）、下端が手前方向（図４に示す左方向）に位置し、全体として組立ライン装置６１の後側に傾斜している。なお本実施形態において、所定角度θ１（即ち支持台７３の後傾角度）は、約６０°（例えば５７°〜６３°）に設定されている。このため、ライン本体６２に搬送台３１が支持された状態にあっては、搬送台３１の台本体３２（図４等参照）も後側に約６０°傾斜した後傾状態となる。即ち、ライン本体６２は、搬送台３１を後側に傾斜させた後傾状態で支持可能となる。よって、搬送台３１に支持されたパチンコ機１０も、後側に約６０°傾斜した後傾状態となる。
【００３８】
また図４に示されるように、支持台７３の前面の上端部には、断面略Ｌ字状をなすガイドレール７５が設けられている。ガイドレール７５は、台本体３２の上方から台本体３２の上部の前面３２ｄ側を囲うように形成されている。これにより、搬送台３１の手前側（図４では左方向）への移動が防止されるため、ライン本体６２からの搬送台３１の脱落が防止される。
【００３９】
図２〜図４に示されるように、支持台７３の前面における下方には、複数の下側ローラ７４（台支持部）が所定間隔を隔てて回転可能に配設されている。各下側ローラ７４の回転軸は、支持台７３の傾斜面及び搬送台３１の搬送方向に直交している。また、各下側ローラ７４の回転軸方向の寸法は、台本体３２の底板部４３（図４等参照）の搬送台前後方向の寸法よりも大きくなるように設定されている。各下側ローラ７４は、いずれも同一の高さに配置されており、搬送台３１の搬送方向に沿って一直線上に配置されている。これにより、各下側ローラ７４の外周面は、ライン本体６２に搬送台３１が搭載された際に、搬送台３１の底面側に接触する。換言すると、搬送台３１は各下側ローラ７４上に載置される。そして、各下側ローラ７４は、搬送台３１の搬送時に転動して同搬送台３１のスムーズな移動を促すようになっている。
【００４０】
図２〜図４に示されるように、各々の下側ローラ７４の後側には、下側ローラ７４と一体回転する移動規制ローラ７６が配設されている。各移動規制ローラ７６の直径は、下側ローラ７４の直径よりも大きくなっている。そのため、ライン本体６２に搬送台３１が載置されると、移動規制ローラ７６の前側面部７６ａ（図４参照）が、台本体３２の下端部や底板部４３の後端面などに接触する。これにより、搬送台３１の斜め下方向への移動（即ち支持台７３に近づく方向への移動）が規制される。
【００４１】
一方、図２，図４に示されるように、前記ガイドレール７５の内側上面には、複数の上側ローラ７７が所定間隔を隔てて回転可能に配設されている。図４に示されるように、各上側ローラ７７の回転軸は、支持台７３の傾斜面に対して平行となっており、搬送台３１の搬送方向に直交するようになっている。そして、各上側ローラ７７の外周面は、ライン本体６２に搬送台３１が搭載された際に、台本体３２の上部の背面３２ｅ側に接触する。そして、各上側ローラ７７は、搬送台３１の搬送時に転動して同搬送台３１のスムーズな移動を促すようになっている。
【００４２】
このように構成されたライン本体６２では、搬送台３１が左方向（図３に示す矢印Ｆ１方向）に搬送され、この搬送の間に前記パチンコ機１０に対する各種部品の取付作業が行われる。そして、取付作業が終了したパチンコ機１０は、ライン本体６２の左端付近で搬送台３１から取り外された後、図示しない搬送機などによって次工程を行うラインに移送される。一方、搬送台３１は、前記搬出ローラ７２により前記搬出シャトル６３に移送される。なお、本実施形態における搬送台３１の左方向への搬送は、作業者の手によって行われる。即ち、作業者は、搬送台３１を左方向に搬送させつつ、パチンコ機１０に対して各種部品を取着する作業を行う。
【００４３】
図２，図３に示されるように、搬出シャトル６３は、前後方向（図３では上下方向）に移動可能な移動体８１を備えている。この移動体８１は、前位置においてライン本体６２の支持台７３の前面と面一となる基台８２を備えている。基台８２の前面には移送用ローラ８３が設けられ、移送用ローラ８３は、搬出ローラ７２によって搬出された搬送台３１を搬出シャトル６３に移送する。なお、搬出シャトル６３に搬送台３１が移送されると、移動体８１は後位置（図３に示す矢印Ｆ２方向）に移動する。そして、後位置に移動すると、搬出シャトル６３は、移送用ローラ８３によって搬送台３１を前記送り戻し機構６４に移送する。
【００４４】
図３，図４に示されるように、送り戻し機構６４は支持台８４を備えており、この支持台８４は、ライン本体６２の支持台７３と同様に所定角度θ１（ここではθ１＝約６０°）だけ後側に傾斜している。このため、両支持台７３，８４は互いに平行に配置されている。図４に示されるように、支持台８４の前面の上端部にもガイドレール７５が設けられており、このガイドレール７５の内側上面には、複数の移送用ローラ８５が所定間隔を隔てて回転可能に配設されている。これら移送用ローラ８５は、前記上側ローラ７７と同様の構成をなしている。また、各移送用ローラ８５は、送り戻し機構６４に移送された搬送台３１を右方向（図３に示す矢印Ｆ３方向）に搬送し、前記搬入シャトル６５に到達させるようになっている。
【００４５】
図２，図３に示されるように、搬入シャトル６５は、前後方向（図３では上下方向）に移動可能な移動体８７を備えている。この移動体８７は、前記搬出シャトル６３と同様に、前位置においてライン本体６２の支持台７３の前面と面一となる基台８８を備えている。基台８８の前面には移送用ローラ８９が設けられ、移送用ローラ８９は、送り戻し機構６４の移送用ローラ８５によって移送された搬送台３１を搬入シャトル６５に移送する。なお、搬入シャトル６５に搬送台３１が移送されると、移動体８７は前位置（図３に示す矢印Ｆ４方向）に移動する。そして、前位置に移動すると、搬入シャトル６５は、移送用ローラ８９によって搬送台３１をライン本体６２に移送する。
【００４６】
従って、こうした組立ライン装置６１に支持された搬送台３１は、「搬入シャトル６５→ライン本体６２→搬出シャトル６３→移動体８１→送り戻し機構６４→搬入シャトル６５→移動体８７」の順で循環移動する。このため、作業者は、作業の度に搬送台３１を組立ライン装置６１に組み付ける必要がなく、また、自らの手によって作業開始位置（ライン本体６２における搬入シャトル６５側の端部）に搬送台３１を移動させる必要がない。それゆえ、組付作業の作業効率が向上する。
（３）遊技機用搬送台３１の構成
【００４７】
図５〜図１０に示されるように、搬送台３１は、縦方向にやや長い長方形状の前記台本体３２を備えている。台本体３２は、金属製の板状物によって構成され、本実施形態においては鉄によって構成されている。なお、台本体３２は、合成樹脂などの他の部材によって構成されていてもよい。また、図７，図９，図１０に示されるように、台本体３２の外形寸法は、パチンコ機１０の外形寸法よりも若干大きくなっている。この台本体３２の中央よりもやや上方には、角孔状の抜穴部３７が透設されている。さらに、図５，図６等に示されるように、台本体３２の一方の側縁３２ａにおける略中央には、合成樹脂製の衝撃緩衝体３３が固着されている。衝撃緩衝体３３は、台本体３２の側縁３２ａよりも側方に突出し、かつ台本体３２の側縁３２ａの一部を覆っている。この衝撃緩衝体３３は、他の搬送台３１と衝突した際の衝撃を和らげるためのものである。
【００４８】
図５，図７〜図８等に示されるように、台本体３２の背面３２ｅの上端部において前記上側ローラ７７と接触する部分には、上側傷防止板３９ａが例えばネジ止めにより固定されている。この状態において、上側傷防止板３９ａを固定するネジの頭部は、上側傷防止板３９ａの上側ローラ７７との接触面から突出しないようになっている。上側傷防止板３９ａは、台本体３２の一方の側縁３２ａから他方の側縁３２ｂまで延びている。本実施形態において、上側傷防止板３９ａは、耐磨耗性に優れたポリテトラフルオロエチレン（ＰＴＦＥ）によって形成されている。これにより、上側ローラ７７との接触による台本体３２の破損や変形を回避することができる。
（３−１）底板部４３の構成
【００４９】
図５〜図７に示されるように、台本体３２の下端には、台本体３２の前面３２ｄに対して垂直方向に突出する底板部４３（底部）が設けられており、底板部４３と台本体３２とにより構成される部分は、側面視略Ｌ字状を呈している。底板部４３は、台本体３２の下端（図６における下端）において左右に延びている。
【００５０】
また、底板部４３において前記下側ローラ７４と接触する部分、即ち、底板部４３の下面全体には、下側傷防止板３９ｂが例えばネジ止めにより固定されている。この状態において、下側傷防止板３９ｂを固定するネジの頭部は、下側傷防止板３９ｂの下側ローラ７４との接触面から突出しないようになっている。なお、下側傷防止板３９ｂは下側ローラ７４によって支持されるため、底板部４３は下側ローラ７４上に載置可能となっている。本実施形態において、下側傷防止板３９ｂは、前記上側傷防止板３９ａと同じくポリテトラフルオロエチレン（ＰＴＦＥ）によって形成されている。これにより、下側ローラ７４との接触による台本体３２の破損や変形を回避することができる。
【００５１】
図５〜図７等に示されるように、前記台本体３２の下側部には、台本体３２の前面３２ｄにて突出する３つの補強板４４〜４６が等間隔に離間配置されている。補強板４４，４６は台本体３２の下方両側に配置され、補強板４５は台本体３２の下方中央に配置されている。補強板４４〜４６は、略三角形状の金属板であり、金属用接着剤または溶接によって、それぞれ台本体３２の前面３２ｄ及び底板部４３の上面４３ａに固定されている。これにより、予期せぬ荷重がかかった場合でも、底板部４３と台本体３２とがなす角度を９０°に保つことができる。
（３−２）下部支持柱４１の構成
【００５２】
図５〜図７に示されるように、前記搬送台３１は、パチンコ機１０が搬送台３１に支持された際に、先端部にてパチンコ機１０の下部を支持する２本の下部支持柱４１（下側支持部）を備えている。図５，図６に示されるように、両下部支持柱４１は、台本体３２の下端部において左右に離間配置され、台本体３２の前面３２ｄに突設されている。下部支持柱４１は、金属材料（本実施形態ではアルミニウム合金などの軽金属）を押出成形または引抜成形することによって構成されている。両下部支持柱４１には、それぞれ長手方向に延びる蟻溝３４が設けられている。また、両下部支持柱４１の基端部には、それぞれネジ穴（図示略）が設けられている。これらのネジ穴に台本体３２の挿通孔（図示略）を挿通したボルトを螺着することにより、下部支持柱４１が台本体３２に連結される。両下部支持柱４１は、台本体３２の前面３２ｄに対して垂直に起立した状態に設けられている。両下部支持柱４１は、台本体３２の下端よりも上方の位置に設けられ、底板部４３から所定空間（所定距離）をおいて配置されている。また、両下部支持柱４１は、パチンコ機１０の前面（または背面）からの突出部分と接触しない位置に設けられている（図７参照）。
【００５３】
図５，図６に示されるように、両下部支持柱４１の基端部は、それぞれ補強金具４２によって補強されている。補強金具４２は、金属板を折り曲げることによって略Ｌ字状に形成されており、台側取付部４２ａ及び柱側取付部４２ｂを有している。なお、台側取付部４２ａに設けた挿通孔（図示略）にボルトを挿通し、そのボルトの先端部を台本体３２に螺着することにより、補強金具４２が台本体３２に固定される。また、柱側取付部４２ｂに設けた挿通孔（図示略）にボルトを挿通し、そのボルトの先端部を下部支持柱４１の蟻溝３４内に挿入したナット（図示略）に螺着することにより、補強金具４２が下部支持柱４１に固定される。なお、ナットは、蟻溝３４内を下部支持柱４１の長手方向に移動可能となっている。
【００５４】
図７に示されるように、本実施形態において下部支持柱４１の搬送台前後方向の寸法（長さＬ１）は、台本体３２の搬送台前後方向の寸法（台本体３２の板厚）よりも大きくなっている。また、下部支持柱４１の長さＬ１は、前記パチンコ機１０における前記外枠１１の前面１１ａからの突出量（前記トップランプ１６の最大突出長さＬ２）よりも長くなるように設定されるとともに、外枠１１の背面１１ｂからの前記球タンク２３の突出量（球タンク２３の最大突出長さＬ３）よりも長くなるように設定されている。
【００５５】
図５〜図７に示されるように、各下部支持柱４１の先端部には、メッキ処理された鉄製のキャップ部材４７が固定されている。キャップ部材４７の固定は、キャップ部材４７に挿通されたボルトを下部支持柱４１の先端部に設けられたネジ穴（図示略）に螺着することにより達成されている。
【００５６】
なお図７に示されるように、各下部支持柱４１は、キャップ部材４７を介してパチンコ機１０の下部を支持可能となっている。また、図５〜図７に示されるように、キャップ部材４７は、上側が低くなるように設定された段部４７ａを有している。これら段部４７ａは、パチンコ機１０の下端部に係合することによって同パチンコ機１０を係止固定するようになっている。よって、搬送台３１に搭載された状態においてパチンコ機１０は、台本体３２から浮いた状態で支持される。
（３−３）上側支持部５１の構成
【００５７】
図５〜図１０に示されるように、前記搬送台３１は、パチンコ機１０が搬送台３１に搭載された際に、先端部にてパチンコ機１０の上部を支持する上側支持部５１を備えている。図５，図６に示されるように、上側支持部５１は、台本体３２の上端部に配置され、台本体３２の前面３２ｄに突設されている。よって、上側支持部５１と台本体３２と下部支持柱４１とにより構成される部分は、側面視で略コ字状を呈している（図７参照）。
【００５８】
上側支持部５１は、２つのスペーサ５３ａ，５３ｂ、１枚の接触部支持板５５、及び、１つの遊技機接触部５２などを備えている。両スペーサ５３ａ，５３ｂは、台本体３２の上端部において左右に離間配置され、台本体３２の前面３２ｄに突設されている。スペーサ５３ａ，５３ｂは、金属材料（本実施形態では鉄）によって直方体状に形成されている。また、両スペーサ５３ａ，５３ｂの高さ（搬送台前後方向の寸法）は、互いに等しくなっている。なお、両スペーサ５３ａ，５３ｂは、遊技機接触部５２と台本体３２との距離を調整するためのものである。
【００５９】
図５，図８等に示されるように、スペーサ５３ａ，５３ｂは、補強金具５４によって補強されている。補強金具５４は、金属板を折り曲げることによってＬ字状に形成されており、台側取付部５４ａ及びスペーサ側取付部５４ｂを有している。なお、台側取付部５４ａに設けた挿通孔（図示略）にボルトを挿通し、そのボルトの先端部を台本体３２に螺着することにより、補強金具５４が台本体３２に固定される。また、スペーサ側取付部５４ｂに設けた挿通孔（図示略）にボルトを挿通し、そのボルトの先端部をスペーサ５３ａ，５３ｂに螺着することにより、補強金具４２がスペーサ５３ａ，５３ｂに固定される。
【００６０】
図５〜図８等に示されるように、両スペーサ５３ａ，５３ｂは、前記１枚の接触部支持板５５を両端部からそれぞれ支持している。即ち、スペーサ５３ａ，５３ｂは、接触部支持板５５と台本体３２との間に配置されている。また、接触部支持板５５は、横方向（図６では左右方向）に長い長方形状の板状物であり、金属用接着剤または溶接によってスペーサ５３ａ，５３ｂの先端面（図６では前面）に固定されている。接触部支持板５５は、スペーサ５３ａ，５３ｂと略同じ硬さであって、前記遊技機接触部５２よりも硬い材料（本実施形態では鉄）によって形成されている。なお、接触部支持板５５の上端縁は、両スペーサ５３ａ，５３ｂの上端面（台本体３２の上端側の面）よりも上方に突出しており、台本体３２の上端縁３２ｃよりも上方に位置している。一方、接触部支持板５５の下端縁の一部は、両スペーサ５３ａ，５３ｂの下端面（台本体３２の下端側の面）と面一となっている。また、接触部支持板５５の横幅（図６，図８〜図１０では左右方向の長さ）は、台本体３２の横幅（図６，図８〜図１０では左右方向の長さ）よりもやや小さくなっている。
【００６１】
図５〜図１０に示されるように、接触部支持板５５の前面には、前記パチンコ機１０の上部（前記トップランプ１６など）が接触しうる遊技機接触部５２が接着剤によって貼り付けられている。即ち、遊技機接触部５２は、同遊技機接触部５２の背面に設けられた接触部支持板５５、及び、スペーサ５３ａ，５３ｂを介して台本体３２に取り付けられている。遊技機接触部５２は、パチンコ機１０の上部が接触した際にパチンコ機１０の上部の外形に沿って変形する低反発材（本実施形態ではウレタンからなる発泡材料）によって直方体状に形成されている。なお、本実施形態において、低反発材の反発弾性率は１２％程度に設定され、低反発材の硬度は４０程度に設定されている。
【００６２】
また、遊技機接触部５２の横幅（図６，図８〜図１０では左右方向の長さ）は、パチンコ機１０の横幅（図９，図１０では左右方向の長さ）と等しく設定されている（図９，図１０参照）。一方、遊技機接触部５２の厚さ（図９，図１０では上下方向の長さ）は、外枠１１の前面１１ａからの突出量（前記トップランプ１６の最大突出長さＬ２）や、外枠１１の背面１１ｂからの前記球タンク２３の突出量（球タンク２３の最大突出長さＬ３）よりも大きくなるように設定されている。これにより、トップランプ１６全体（及び球タンク２３全体）が遊技機接触部５２によって包み込むように支持される。
【００６３】
図５，図６，図８〜図１０に示されるように、遊技機接触部５２と前記接触部支持板５５との接触面積は、接触部支持板５５の面積よりも小さく設定されている。即ち、遊技機接触部５２の外形寸法は、接触部支持板５５の外形寸法よりも若干小さくなっている。具体的に言うと、遊技機接触部５２の縦方向の長さ（図６では上下方向の長さ）は、接触部支持板５５の縦方向の長さ（図６では上下方向の長さ）よりも小さくなっている。また、遊技機接触部５２の横幅は、接触部支持板５５の横幅よりも小さくなっている。よって本実施形態では、遊技機接触部５２及び接触部支持板５５を厚さ方向（遊技機接触部５２側）から見た際に、接触部支持板５５の外周部の下端部、左端部及び右端部が露出する（図６参照）。このようにすれば、パチンコ機１０の上部が接触した際に遊技機接触部５２が多少位置ずれ変形したとしても、遊技機接触部５２を接触部支持板５５によって確実に支持できる。
（３−４）ガイド板９１ａ，９１ｂの構成
【００６４】
図５〜図１０に示されるように、台本体３２の前面３２ｄには、パチンコ機１０を遊技機接触部５２側に案内する一対のガイド板９１ａ，９１ｂ（ガイド部）が突設されている。両ガイド板９１ａ，９１ｂは、台本体３２の上端部において左右に離間配置されている。具体的に言うと、一方のガイド板９１ａは、一方のスペーサ５３ａよりも台本体３２の一方の側縁３２ａ側に配置されており、他方のガイド板９１ｂは、他方のスペーサ５３ｂよりも他方の側縁３２ｂ側に配置されている。そして、ガイド板９１ａの基端部に設けた挿通孔（図示略）にボルトを挿通し、そのボルトの先端部をスペーサ５３ａに螺着することにより、ガイド板９１ａがスペーサ５３ａに固定される。同様に、ガイド板９１ｂの基端部に設けた挿通孔（図示略）にボルトを挿通し、そのボルトの先端部をスペーサ５３ｂに螺着することにより、ガイド板９１ｂがスペーサ５３ｂに固定される。
【００６５】
なお、図５〜図１０に示されるガイド板９１ａ，９１ｂは、突出方向に長い長方形状に形成されている。両ガイド板９１ａ，９１ｂは樹脂製（本実施形態ではポリテトラフルオロエチレン）である。一対のガイド板９１ａ，９１ｂの間隔は、パチンコ機１０の横幅よりも大きく設定されるとともに、遊技機接触部５２及び前記接触部支持板５５の横幅よりも大きく設定されている。このため、両ガイド板９１ａ，９１ｂは、接触部支持板５５から所定空間（所定距離）をおいて配置される。
【００６６】
また、両ガイド板９１ａ，９１ｂの突出量（搬送台前後方向の寸法）は、互いに等しくなっており、前記下部支持柱４１の突出量よりもやや小さくなっている。パチンコ機１０の上部が遊技機接触部５２に接触した状態において、ガイド板９１ａ，９１ｂの突出量は、遊技機接触部５２の先端面（パチンコ機１０の上部が接触する面）よりもパチンコ機１０側となる箇所に、ガイド板９１ａ，９１ｂの先端が位置する程度に設定されている。さらに、ガイド板９１ａ，９１ｂの突出量は、遊技機接触部５２側の突出部分の先端（前記トップランプ１６の前端）からパチンコ機１０全体の厚さの３／５程度となる箇所に、ガイド板９１ａ，９１ｂの先端が位置する程度に設定されている（図９，図１０参照）。なお、両ガイド板９１ａ，９１ｂの突出量は、互いに等しくなっている。また、両ガイド板９１ａ，９１ｂの幅（図６では上下方向の長さ）は、前記スペーサ５３ａ，５３ｂの縦方向の長さ（図６では上下方向の長さ）と等しくなっている。両ガイド板９１ａ，９１ｂの厚さ（図６，図８〜図１０では左右方向の長さ）は、台本体３２の側縁３２ａからスペーサ５３ａの側縁３２ａ側の面までの距離、及び、台本体３２の側縁３２ｂからスペーサ５３ｂの側縁３２ｂ側の面までの距離と等しくなっている。
【００６７】
ところで、本実施形態の搬送台３１は、パチンコ機１０を裏返した状態で搬送するようになっている（図７，図９，図１０参照）。この場合、パチンコ機１０は、正面（前記前枠１３やトップランプ１６などがある面）が台本体３２側を向いた状態で搬送台３１に支持される。このようにすれば、パチンコ機１０の背面（前記外枠１１や前記球タンク２３などがある面）に対して各種部品を取着する作業が容易になる。なお、搬送台３１は、パチンコ機１０を表向きにした状態で搬送することもできる。この場合、パチンコ機１０は、背面が台本体３２側を向いた状態で搬送台３１に支持される。このようにすれば、パチンコ機１０の正面に各種部品を取着する作業が容易になる。
【００６８】
また、搬送台３１は、前側上部の形状（デザイン）が大きく異なる複数機種のパチンコ機１０を支持するようになっている。例えば、トップランプ１６を上方から見た際の形状が略半円形状をなすパチンコ機１０（図９（ａ），（ｂ）参照：図１に示すパチンコ機１０と同じもの）である場合、トップランプ１６のみが遊技機接触部５２内に沈み込んだ状態でパチンコ機１０が支持される。また、トップランプ１６を上方から見た際の形状が略三角形状をなすパチンコ機１０（図１０（ａ），（ｂ）参照）である場合も、トップランプ１６のみが遊技機接触部５２内に沈み込んだ状態でパチンコ機１０が支持される。なお、それぞれの場合におけるパチンコ機１０の傾きは同程度である。即ち、パチンコ機１０は、トップランプ１６の形状に影響されることなく搬送台３１に支持される。
【００６９】
従って、本実施形態によれば以下のような効果を得ることができる。
【００７０】
（１）特許文献１に記載の従来技術では、パチンコ機１０（枠ベース）を支持する搬送台を後傾状態で搬送する技術が開示されている。この搬送台は、上部支持柱の先端に固着されたキャップ部材によってパチンコ機１０の上部を支持するようになっている。しかし、このような構成であると、モデルチェンジでパチンコ機１０の上部の形状が変更される度に形状の異なるキャップ部材に交換しなければ、パチンコ機１０の上部を支持することができない。
【００７１】
それに対して、本実施形態の搬送台３１では、パチンコ機１０の上部を支持する遊技機接触部５２がパチンコ機１０の上部の外形に沿って変形する低反発材によって形成されている。このため、搬送台３１は、モデルチェンジに伴ってパチンコ機１０の上部の形状が変更されたとても、パチンコ機１０の上部の形状に影響されることなくパチンコ機１０を支持できる。ゆえに、上側支持部５１を構成する部材を交換したりしなくても済む。
【００７２】
また、遊技機接触部５２が、比較的硬度の低いウレタンからなる発泡材料によって形成されているため、遊技機接触部５２に接触した際にパチンコ機１０の上部が傷付きにくくなり、パチンコ機１０の品質が向上する。なお、上側支持部５１として金属製の治具を用いると、パチンコ機１０を傷付ける危険があるために、治具上に傷防止用の保護フィルムを貼付するなどの工夫が必要となるが、本実施形態では金属製ではない治具（遊技機接触部５２）を用いているため、保護フィルムが不要である。
【００７３】
（２）本実施形態では、遊技機接触部５２が発泡材料によって形成されるため、大型の遊技機接触部５２であったとしても遊技機接触部５２が比較的軽量となる。また本実施形態では、台本体３２に抜穴部３７を設けたことで台本体３２が軽量になる。しかも本実施形態では、下部支持柱４１がアルミニウム合金などの軽金属によって構成されるため、下部支持柱４１の軽量化が図られる。その結果、元来重い搬送台３１がさらに重くなりにくくなり、搬送台３１を搬送させる力が少なくて済むようになる。また、組立ライン装置６１のライン本体６２にかかる荷重も低減される。
【００７４】
（３）本実施形態では、パチンコ機１０の上部が、相対的に柔らかい遊技機接触部５２によって直接支持されるだけでなく、相対的に硬い接触部支持板５５によっても間接的に支持される。これにより、パチンコ機１０の上部を支持する際に遊技機接触部５２が変形することで生じる厚さ方向への撓みを防止できるため、パチンコ機１０の上部を安定的に支持できる。
【００７５】
（４）本実施形態では、接触部支持板５５と台本体３２との間にスペーサ５３ａ，５３ｂが設けられている。このため、スペーサ５３ａ，５３ｂの形状を調整すれば、多機種のパチンコ機１０に対応させることができる。また、スペーサ５３ａ，５３ｂを設けることで、比較的柔らかい遊技機接触部５２の厚さを最小限に抑えることができるため、パチンコ機１０の上部を支持する際においてパチンコ機１０のぐらつきを防止できる。
【００７６】
（５）一般的に、パチンコ機１０の前側下部には、ドル箱を置くスペースを確保する必要があるため、突出部分が形成される可能性は極めて低い。ゆえに、パチンコ機１０の下部の形状は殆ど変更されないため、複数機種のパチンコ機１０を支持するのに際して、搬送台３１の下部支持柱４１の形状を変更したりする必要はない。そこで本実施形態では、従来の搬送台に対して台本体３２の上部の構造（上側支持部５１）を変更するだけで、搬送台３１を成立させている。従って、台本体３２の下部の構造（下部支持柱４１など）は従来のままである。即ち、パチンコ機１０の上部の形状に影響されることなくパチンコ機１０を支持できる本実施形態の搬送台３１が、最低限の改造で製作される。また、下部支持柱４１は従来と同じ金属製であるため、パチンコ機１０を支持する際に撓みにくい。ゆえに、下部支持柱４１によってパチンコ機１０の下部をしっかりと支持することができる。
【００７７】
（６）ところで、［発明が解決しようとする課題］の欄に記載したように、モデルチェンジでパチンコ機１０の上部の形状が変更される度に受け治具を自動的に移動させる自動切換装置が考えられている。しかし本実施形態では、搬送台３１をパチンコ機１０の上部の形状に影響されない構造に改造することで、自動切換え装置を不要している。これにより、モデルチェンジにかかる設備改造費用を大幅に削減することができる。また本実施形態では、受け治具を移動させる工程が不要であるため、組付作業の作業効率が向上する。
【００７８】
なお、本発明の実施形態は以下のように変更してもよい。
【００７９】
・上記実施形態では、１つの遊技機接触部５２がパチンコ機１０の上部に接触するようになっていたが、互いに分割された複数の遊技機接触部がパチンコ機１０の上部に接触するようになっていてもよい。
【００８０】
・遊技機接触部５２においてパチンコ機１０の上部（トップランプ１６など）が接触しうる部分に、凹部を設けて位置決め機能を与えてもよい。
【００８１】
・上記実施形態の遊技機接触部５２は、接触部支持板５５及びスペーサ５３ａ，５３ｂを介して台本体３２に取り付けられていた。しかし、スペーサ５３ａ，５３ｂを省略し、遊技機接触部５２を接触部支持板５５のみを介して台本体３２に取り付けるようにしてもよい。また、接触部支持板５５及びスペーサ５３ａ，５３ｂの両方を省略し、遊技機接触部５２を直接台本体３２に取り付けるようにしてもよい。このようにすれば、接触部支持板５５やスペーサ５３ａ，５３ｂを設けなくても済むため、搬送台３１の構造の簡素化及び軽量化を図ることができる。
【００８２】
・上記実施形態では、台支持部として下側ローラ７４が用いられていた。しかし、略球状のもの（例えばボール）や、ベルトコンベアのベルトの部分などを、台支持部として用いてもよい。
【００８３】
・上記実施形態の組立ライン装置６１は、パチンコ機１０を搬送するのに用いられていたが、外枠１１、中枠１２及び前枠１３などの枠部材を搬送するのに用いてもよい。
【００８４】
次に、特許請求の範囲に記載された技術的思想のほかに、前述した実施形態によって把握される技術的思想を以下に列挙する。
【００８５】
（１）請求項１乃至５のいずれか１項において、前記遊技機接触部と前記台本体との間に、前記遊技機接触部と前記台本体との距離を調整するためのスペーサを設けたことを特徴とする遊技機用搬送台。
【００８６】
（２）技術的思想（１）において、前記遊技機接触部の背面には、同遊技機接触部よりも硬い材料からなる接触部支持板が設けられており、前記接触部支持板は前記スペーサに取り付けられていることを特徴とする遊技機用搬送台。
【００８７】
（３）請求項５において、前記一対のガイド部は樹脂製であることを特徴とする遊技機用搬送台。
【００８８】
（４）請求項１乃至５のいずれか１項において、前記下側支持部は金属製であることを特徴とする遊技機用搬送台。
【図面の簡単な説明】
【００８９】
【図１】本実施形態の組立ライン装置によって搬送されるパチンコ遊技機の機表側を示す斜視図。
【図２】組立ライン装置を示す正面図。
【図３】組立ライン装置を示す平面図。
【図４】図２のＡ−Ａ線断面図。
【図５】搬送台を示す斜視図。
【図６】搬送台を示す正面図。
【図７】搬送台を示す側面図。
【図８】搬送台を示す上面図。
【図９】（ａ），（ｂ）は、搬送台及びパチンコ機を示す上面図。
【図１０】（ａ），（ｂ）は、搬送台及びパチンコ機を示す上面図。
【符号の説明】
【００９０】
１０…遊技機としてのパチンコ機
１１…外枠
１１ａ…外枠の前面
１２…中枠
１３…前枠
３１…遊技機用搬送台（搬送台）
３２…台本体
３２ｄ…台本体の前面
４１…下側支持部としての下部支持柱
４３…底部としての底板部
５１…上側支持部
５２…遊技機接触部
５５…接触部支持板
６１…組立ライン装置
６２…ライン本体
７４…台支持部としての下側ローラ
９１ａ，９１ｂ…ガイド部としてのガイド板
θ１…所定角度（傾斜角度）
【図１】
2008043477.tif 000003
【図２】
2008043477.tif 000004
【図３】
2008043477.tif 000005
【図４】
2008043477.tif 000006
【図５】
2008043477.tif 000007
【図６】
2008043477.tif 000008
【図７】
2008043477.tif 000009
【図８】
2008043477.tif 000010
【図９】
2008043477.tif 000011
【図１０】
2008043477.tif 000012